(57)【要約】      （修正有）【課題】食水供給手段が連結した回転軸管の回転動作により飼料受け皿の中央突出部の外周縁に沿って回転しながら食水を、飼料受け皿の貯留空間の全体に亘って満遍なく均一に供給できるようにした液状飼料給与機を提供する。【解決手段】液状飼料給与機は、ホッパ１０と、前記ホッパ１０の下に配設され、中央には中央突出部が突設され、その外周縁に沿って貯留空間が形成された飼料受け皿２０と、を備える液状飼料給与機において、前記ホッパ１０の内部空間を垂直に横切った状態で駆動モータ４６の動力により回転動作し、内部には食水を通過させる流路が形成された回転軸管４０及び前記回転軸管４０の下端に係合され、前記飼料受け皿２０の中央突出部２２の上面に位置した状態で前記回転軸管４０の回転動作につれて回転する過程で前記回転軸管４０の流路を通過した食水を前記飼料受け皿２０の貯留空間に排出する食水供給手段が更に配設されている。【選択図】図１
2018110579.tif 000002
【特許請求の範囲】
【請求項１】
飼料が貯留されたホッパ（１０）と、前記ホッパ（１０）の内部に配設されて食水を供給する回転軸管（４０）と、前記ホッパ（１０）の下に位置して飼料及び食水が入れられる貯留空間（２４）を有する飼料受け皿（２０）と、を備えてなる液状飼料給与機において、
前記回転軸管（１０）に配設され、前記回転軸管（１０）を介して供給される食水を前記飼料受け皿（２０）の貯留空間（２４）に供給する食水供給手段（１００）を更に備える、
ことを特徴とする液状飼料給与機。
【請求項２】
前記回転軸管（１０）は、駆動モータ（４６）の駆動力により回転動作し、前記食水供給手段（１００）は、前記回転軸管（１０）の回転動作につれて回転しながら前記貯留空間（２４）に食水を供給する、
ことを特徴とする請求項１に記載の液状飼料給与機。
【請求項３】
前記食水供給手段（１００）は、
前記回転軸管（４０）の末端に継合され、前記回転軸管（４０）の流路（４２）と連通される水平流路（６２）が形成された状態で飼料受け皿（２０）の中央突出部（２２）の上面に当接される水平管（６０）を備えてなる、
ことを特徴とする請求項１又は請求項２に記載の液状飼料給与機。
【請求項４】
前記水平管（６０）の先端に下向きに曲げ形成され、前記水平管（６０）の水平流路（６２）と連通される垂直流路（７２）が形成された状態で前記中央突出部（２２）の外周縁面に当接される垂直管（７０）を更に備えてなる、
ことを特徴とする請求項３に記載の液状飼料給与機。
【請求項５】
前記水平管（６０）の下端に突設され、前記中央突出部（２２）の上面の中央に形成されている穴（２６）に回転自在に嵌め込まれる軸ピン（８０）を更に備えてなる、
ことを特徴とする請求項３に記載の液状飼料給与機。
【発明の詳細な説明】
【技術分野】
【０００１】
本発明は、液状飼料給与機に係り、更に詳しくは、回転軸管の下端に食水供給手段を連結して、前記回転軸管の回転動作につれて食水供給手段が飼料受け皿の中央突出部の外周縁に沿って回転しながら食水を供給するようにして、飼料受け皿の貯留空間の全体に亘って食水を満遍なく均一に供給できるようにした液状飼料給与機に関する。
【背景技術】
【０００２】
一般に、農家や畜舎において飼育する豚、牛、ヤギ、羊などの家畜（以下、「家畜」と称する。）に飼料及び食水を供給するが、この飼料及び食水の供給方式は、飼料及び水を同時に供給する湿式方式と、飼料及び水を別途に供給する乾式方式と、に大別できる。
【０００３】
前記湿式方式の飼料給与機と関連する代表的な先行技術としては、大韓民国公開特許第１０−２０１３−０１３０１５８号公報（以下、「先行技術」と称する。）が挙げられる。
【０００４】
前記先行技術は、下部に飼料排出口を有するホッパと、ホッパの下部に配備される上仕切りがホッパに係合される飼料受け皿と、前記ホッパの内側に配備される飼料排出手段と、前記ホッパの一方の側に配備される食水供給手段と、装置の全般的な作動を制御するコントローラと、を備える湿式自動飼料給与機において、前記飼料排出手段は、前記ホッパの中心に配備される中心軸が上部駆動モータにより回転するが、前記中心軸に係合された横バーに縦バー付き調節バーが伸縮自在に組み付けられる第１の排出手段が配備されたことを特徴とする。
【０００５】
このような先行技術の食水供給手段は、チューブタイプの食水分配管に排出孔を所定の間隔を隔てて穿設して、食水分配管に供給された食水を排出孔を介して飼料受け皿に排出する。
【０００６】
しかしながら、上述したような先行技術は、食水分配管の排出孔にしか食水が排出されないが故に、排出孔の間に位置する飼料受け皿の区域には食水が正常に供給されないという欠点があり、その結果、食水及び飼料が正常に混合されず、良質の湿式飼料を家畜に供給することができないという不都合がある。
【先行技術文献】
【特許文献】
【０００７】
【特許文献１】大韓民国公開特許第１０−２０１３−０１３０１５８号公報
【発明の概要】
【発明が解決しようとする課題】
【０００８】
本発明は上述した従来の技術の不都合を解消するために案出されたものであり、回転軸管の下端に食水供給手段を配設し、前記食水供給手段は飼料受け皿の中央突出部の上面に位置させた状態で回転軸管の回転動作につれて食水供給手段が飼料受け皿の外周縁の貯留空間に沿って回転しながら食水を供給するようにして、飼料受け皿の貯留空間の全体に亘って食水を満遍なく均一に供給できるようにする液状飼料給与機を提供することである。
【０００９】
本発明の他の目的は、食水供給手段が回転する過程で中央突出部の上面に積もった飼料を一緒に引きずっていきながら飼料受け皿の貯留空間に落下させて飼料を満遍なく均一に供給して飼料の残留に起因する変質などの問題を防ぐことのできる液状飼料給与機を提供することである。
【課題を解決するための手段】
【００１０】
上述した目的を達成するために、本発明は、ホッパと、前記ホッパの下に配設され、中央には中央突出部が突設され、その外周縁に沿って貯留空間が形成された飼料受け皿と、を備える液状飼料給与機において、前記ホッパの内部空間を垂直に横切った状態で駆動モータの動力により回転動作し、内部には食水を通過させる流路が形成された回転軸管及び前記回転軸管の下端に係合され、前記飼料受け皿の中央突出部の上面に位置した状態で前記回転軸管の回転動作につれて回転する過程で前記回転軸管の流路を通過した食水を前記飼料受け皿の貯留空間に排出する食水供給手段が更に配設されたことを特徴とする。
【００１１】
前記食水供給手段は、前記回転軸管の末端に継合され、内部には前記回転軸管の流路と連通される流路が形成された継合管と、前記継合管に嵌め込まれ、内部には継合管の流路と連通される水平流路が形成された状態で中央突出部の上面に当接される水平管と、前記水平管の先端に下向きに曲げ形成され、水平管の水平流路と連通される垂直流路が形成された状態で中央突出部の外周縁面に当接される垂直管及び前記水平管の下端に突設され、中央突出部の上面の中央に形成されている穴に回転自在に嵌め込まれる軸ピンを備えることが好ましい。
【発明の効果】
【００１２】
本発明に係る液状飼料給与機は、回転軸管の下端に食水供給手段を配設し、前記食水供給手段は飼料受け皿の中央突出部の上面に位置させた状態で回転軸管の回転動作につれて食水供給手段が中央突出部の外周縁に沿って回転しながら食水を供給するようにして、飼料受け皿の貯留空間の全体に亘って食水を満遍なく均一に供給することができて、良質の湿式飼料を製造することができるという効果を有する。
【００１３】
また、本発明の食水供給手段が回転する過程で中央突出部の上面に積もった飼料を一緒に引きずっていきながら飼料受け皿の貯留空間に落下させることにより、飼料を満遍なく均一に供給することができ、飼料の残留に起因する変質などの問題を防ぐことができるという効果を有する。
【図面の簡単な説明】
【００１４】
【図１】本発明の好適な一実施の形態による液状飼料給与機の全体の構成を示す図である。
【図２】図１に示す食水供給手段１００の技術構成を具体的に示す図である。
【図３】図２に示す食水供給手段１００の技術構成を断面で示す図である。
【発明を実施するための形態】
【００１５】
以下、添付図面に基づいて、本発明の実施の形態による液状飼料給与機について説明する。後述する詳細な説明の欄においては、上述した目的を達成するために、本発明における一つの実施の形態を代表的に提示する。なお、本発明において提示可能な他の実施の形態は、本発明の構成における説明をもって代替することにする。
【００１６】
図１は、本発明の好適な一実施の形態による液状飼料給与機の全体の構成を示す図である。本発明に係る液状飼料給与機は、通常のホッパ１０と、飼料排出管３０及び飼料受け皿２０を備える。
【００１７】
前記図１を参照すると、飼料受け皿２０は、ホッパ１０を介して供給された飼料及び後述する食水供給手段１００を介して供給された食水が入れられるものであり、前記飼料受け皿２０には、家畜（以下では、「豚」と称する。）が摂取可能なようにペースト状の液状飼料が入れられる。このような飼料受け皿２０は、通常、円形状を呈し、中央部には中央突出部２２が突設され、前記中央突出部２２を中心として外周縁に沿って貯留空間２４が凹設されたという構造となっている。前記中央突出部２２の上面には、本発明の必須的な構成要素に相当する食水供給手段１００が配設され、前記飼料受け皿２０の貯留空間２４には、ホッパ１０を介して供給される飼料及び食水供給手段１００を介して供給される食水が一緒に入れられる。
【００１８】
前記ホッパ１０の内部には、飼料が貯留可能な空間が形成され、その下端部には飼料排出管３０が配設される。前記飼料排出管３０は、下側が開放された円筒状のパイプ状に形成され、前記開放された飼料排出管３０の下側を介してホッパ１０の内部に貯留された飼料が排出されて飼料受け皿２０に入れられる。
【００１９】
一方、前記飼料受け皿２０の中央突出部２２の上面には、本発明の必須的な構成要素に相当する食水供給手段１００が配設され、好ましくは、飼料受け皿２０の貯留空間２４に入れられる飼料及び食水を均一に混ぜ合わせるための食水供給手段１００が配設される。このような食水供給手段１００の詳細な構成は、下記の図２及び図３の具体的な説明によりなお一層容易に理解できる筈である。
【００２０】
本発明に係る食水供給手段１００は、ホッパ１０の内部に配設された回転軸管４０の回転動作につれて中央突出部２２の外周縁面に沿って回転しながら飼料受け皿２０の貯留空間２４に食水を満遍なく均一に供給するための技術的な構成要素である。
【００２１】
本発明の食水供給手段１００について説明するに先立って、ホッパ１０の内部には、図１に示すように、飼料を絡みにくくし、且つ、飼料を円滑に飼料排出管３０に向かって排出する飼料ブリッジ防止装置４４が配設される。前記飼料ブリッジ防止装置４４は、駆動モータ４６の動力により回転し、ホッパ１０の内部空間を垂直に横切った状態で配設されている回転軸管４０に取設されて、前記回転軸管４０の回転動作につれて飼料の絡みを防ぐ役割を果たす。このとき、前記回転軸管４０の末端には本発明の食水供給手段１００が配設されて、回転軸管４０の回転動作につれて飼料受け皿２０の中央突出部２２の外周縁面に沿って回転しながら食水を飼料受け皿２０の貯留空間２４に供給する。
【００２２】
一方、前記回転軸管４０の先端には給水ライン（図示せず）が連結され、その内部には前記給水ラインから供給される食水を通過させるための流路４２が形成される。このとき、結露を防ぐために、回転軸管４０の内部に別途の給水管（図示せず）を二重に配設してもよい。
【００２３】
以下では、本発明に係る食水供給手段１００の技術構成について図２及び図３に基づいて詳述する。
【００２４】
本発明に係る食水供給手段１００は、回転軸管４０の末端に継合され、内部には回転軸管４０の流路４２と連通される流路５２が形成された継合管５０と、前記継合管５０に嵌め込まれ、内部には継合管５０の流路５２と連通される水平流路６２が形成された状態で中央突出部２２の上面に当接される水平管６０と、前記水平管６０の先端に下向きに曲げ形成され、水平管６０の水平流路６２と連通される垂直流路７２が形成された状態で中央突出部２２の外周縁面に当接される垂直管７０及び前記水平管６０の下端に突設され、中央突出部２２の上面の中央に形成された穴２６にブッシング８２を間に挟んで回転自在に嵌め込まれる軸ピン８０を備えてなる。
【００２５】
前記図２及び図３を参照すると、本発明の食水供給手段１００は、駆動モータ４６の動力により回転軸管４０が回転すれば、前記回転軸管４０に継合されている継合管５０は回転軸管４０の回転につれて回転し、これにより、前記継合管５０に連結されている水平管６０及び垂直管７０は、飼料受け皿２０の中央突出部２２の上面及び外周縁面に沿って回転動作を行う。この状態で、前記回転軸管４０の流路４２に食水を供給すれば、回転軸管４０の流路４２と連通される継合管５０の流路５２及び前記継合管５０の流路５２と連通される水平管６０の水平流路６２、並びに前記水平管６０の水平流路６２と連通される垂直管７０の垂直流路７２を経て飼料受け皿２０の貯留空間２４に食水が供給される。このとき、食水は、前記回転軸管４０の回転動作により回転する食水供給手段１００を介して飼料受け皿２０の貯留空間２４の全体に亘って均一に排出され、これにより、飼料受け皿２０の貯留空間２４に貯留された飼料は食水と均一に混合されて良質の湿式飼料を製造することができる。前記水平管６０の一方の側にはスクラッパ６４が丸みを帯びた形状に一体に延設され、前記スクラッパ６４は、水平管６０が回転する間に飼料受け皿２０の中央突出部２２の上面に積もっている飼料を引きずっていきながら下の貯留空間２４に落下させて飼料を均一に排出し、飼料が残留して変質されるという現象を防ぐことができる。
【００２６】
一方、本発明においては、別途の継合管５０を用いて回転軸管４０に本発明の食水供給手段１００、具体的には、水平管６０を組み付けているが、前記回転軸管４０を長く延設し、末端部を折り曲げて飼料受け皿２０の中央突出部２２の外周縁面に当接させてもよい。
【符号の説明】
【００２７】
１０  ホッパ
２０  飼料受け皿
３０  飼料排出管
４０  回転軸管
４２  流路
５０  継合管
６０  水平管
７０  垂直管
８０  軸ピン
【図１】
2018110579.tif 000003
【図２】
2018110579.tif 000004
【図３】
2018110579.tif 000005